(57)【要約】      （修正有）【課題】土木・建築現場などにおいて水平線を表示する場合に使用される水糸を巻き付けるためのリールにおいて、水糸と高速、且つ、容易にリールに巻取ることができる水糸用リールの支持軸を提供する。【解決手段】水糸を巻き付ける胴体を有し、中心部に中空円筒部２０が形成された水糸用リールに装着される支持軸１ｂであって、該支持軸１ｂは、中空円筒部２０内に嵌着され、該支持軸１ｂの基端部には電気ドリルに着脱可能なシャンク３が形成されている。支持軸１ｂは、中空円筒部２０内に挿脱自在に嵌着されている。支持軸１ｂの先端部には、中空円筒部２０からの脱落を防止するために、抜け止め具５が設けられている。支持軸１ｂの軸部には、中空円筒部２０からの脱落を防止するために、先端側から基端側にかけて先端側が細いテーパーが形成されている。【選択図】図５
0003204952.tif 000002
【実用新案登録請求の範囲】
【請求項１】
水糸を巻き付ける胴体を有し、中心部に中空円筒部が形成された水糸用リールに装着される支持軸であって、
該支持軸は、前記中空円筒部内に嵌着され、該支持軸の基端部には電気ドリルに着脱可能なシャンクが形成されていることを特徴とする水糸用リールの支持軸。
【請求項２】
前記支持軸は、前記中空円筒部内に挿脱自在に嵌着されていることを特徴とする請求項１に記載の水糸用リールの支持軸。
【請求項３】
前記支持軸の先端部には、前記中空円筒部からの脱落を防止するために、抜け止め具が設けられていることを特徴とする請求項１又は２に記載の水糸用リールの支持軸。
【請求項４】
前記支軸の軸部には、前記中空円筒部からの脱落を防止するために、先端側から基端側にかけて先端側が細いテーパーが形成されていることを特徴とする請求項２又は３に記載の水糸用リールの支持軸。
【考案の詳細な説明】
【技術分野】
【０００１】  本考案は、土木・建築現場などにおいて水平線を表示する場合に使用される水糸を巻き付けるためのリールの改良に関するものである。
【背景技術】
【０００２】  従来、水糸用リールとして、水糸が巻き付けられる筒状の芯部ならびに芯部の第１端および第２端にフランジ状に設けられた第１端壁部および第２端壁部を有するリール本体と、リール本体の芯部内に回転可能かつ長さ方向移動不能に収容されたスリーブと、スリーブにその第１端の開口を通じて引き出し可能かつ脱落不能に挿入された筒状または棒状のハンドルを備えた水糸用リールが開示されている（特許文献１）。【０００３】  また、楕円形の左右一対の側壁と、これら側壁の中央部同士を連結する中央筒部と、これら側壁の一端部同士および他端部同士をそれぞれ連結する架橋部とからなる水糸のリールが開示されている（特許文献２）。
【先行技術文献】
【特許文献】
【０００４】
【特許文献１】  特開２０１５−２１２１９１号公報
【特許文献２】  特開２００６−３３６２７７号公報
【考案の概要】
【考案が解決しようとする課題】
【０００５】  特許文献１に記載の水糸用リールは、リール本体芯部内に回転可能に収容されたスリーブと、該スリーブにその開口を通じて引き出し可能かつ脱落不能に挿入された筒状または棒状のハンドルが備えられている。この構成では、水糸が短い時は問題ないが、長い場合は巻取りに時間がかかるという問題がある。【０００６】  特許文献２に記載の水糸のリールは、楕円形の左右一対の側壁と、この側壁の中央部同士を連結する中央筒部と、これら側壁の一端部同士及び他端部同士をそれぞれ連結する架橋部からなり、中央筒部内に支軸が回転自在に設けられ、その両端に抜止め部が設けられている。この構成では、支軸を手で把持して水糸を巻き取る構成であるため、前記特許文献１と同様に、水糸が短い時は問題ないが、長い場合は巻取りに時間がかかるという問題がある。
【課題を解決するための手段】
【０００７】  本考案は前記従来の問題を解決するために成されたものであり、水糸を巻き付ける胴体を有し、中心部に中空円筒部が形成された水糸用リールに装着される支持軸であって、該支持軸は、前記中空円筒部内に嵌着され、該支持軸の基端部には電気ドリル等に着脱可能なシャンクが形成されていることを特徴としている。この構成とすることにより、水糸を高速、且つ、容易にリールに巻取りすることができる。また、前記支持軸は、前記中空円筒部内に挿脱自在に嵌着されているので、水糸の巻取り時のみ装着することで持ち運びが便利である。また、前記支持軸の先端部には、前記中空円筒部からの脱落を防止するために、抜け止め具が設けられており、前記支軸の軸部には、前記中空円筒部からの脱落を防止するために、先端側から基端側にかけて先端側が細いテーパーが形成されている。
【考案の効果】
【０００８】  本考案の水糸用リールの支持軸の基端部には電気ドリルに着脱可能なシャンクが形成されているので、水糸を高速、且つ、容易にリールに巻取りすることができる。また、前記支持軸は、前記中空円筒部内に挿脱自在に嵌着されているので、水糸の巻取り時のみ装着することで持ち運びが便利である。
【図面の簡単な説明】
【０００９】
【図１】  本考案の第一実施形態を示す正面図である。
【図２】  本考案の第二実施形態を示す正面図である。
【図３】  本考案の第三実施形態を示す正面図である。
【図４】  本考案の第二実施形態の水糸用リールの支持軸をリールＡに装着した状態を示す正面図である。
【図５】  本考案の第三実施形態の水糸用リールの支持軸をリールＢに装着した状態を示す正面図である。
【考案を実施するための形態】
【００１０】以下、本考案の水糸用リールの支持軸について、図面を参照して詳細に説明する。図１は本考案の第一実施形態を示す正面図である。水糸用リールの支持軸１は、水糸用リールの中心部に設けられた中空穴２０に着脱自在に嵌入する挿入軸２と該挿入軸２の基端に形成されたシャンク３より構成されている。前記支持軸１は、一般構造用鋼、機械構造用炭素鋼、ステンレス鋼等で円筒状に形成されている。シャンク３は、電動ドリルのチャック（図示しない）で把持する部分であり、図１では六角軸シャンクを図示しているが、ストレートシャンクやＳＤＳシャンクとしてもよい。
【００１１】  図２は本考案の第二実施形態を示す正面図である。水糸用リールの支持軸１ａは、水糸用リールの中心部に設けられた中空穴２０に着脱自在に嵌入する挿入軸２ａと該挿入軸２ａの基端に形成されたシャンク３より構成されている。前記支持軸１ａは、一般構造用鋼、機械構造用炭素鋼、ステンレス鋼等で円筒状に形成されている。シャンク３は、電動ドリルのチャック（図示しない）で把持する部分であり、図２では六角軸シャンクを図示しているが、ストレートシャンクやＳＤＳシャンクとしてもよい。
【００１２】  図３は本考案の第三実施形態を示す正面図である。水糸用リールの支持軸１ｂは、水糸用リールの中心部に設けられた中空穴２０に着脱自在に嵌入する挿入軸２ｂと該挿入軸２ｂの基端に形成されたシャンク３より構成されている。前記支持軸１ｂは、一般構造用鋼、機械構造用炭素鋼、ステンレス鋼等で円筒状に形成されている。シャンク３は、電動ドリルのチャック（図示しない）で把持する部分であり、図３では六角軸シャンクを図示しているが、ストレートシャンクやＳＤＳシャンクとしてもよい。
【００１３】  図４は本考案の第二実施形態の水糸用リールの支持軸１ａをリールＡに装着した状態を示す正面図である。挿入軸２ａがテーパーとなっているので、リールＡの中空円筒部の内径が多少相違しても、テーパー状の所定位置で嵌着されるので、汎用性がある。
【００１４】  図５は本考案の第３実施形態の水糸用リールの支持軸１ｂをリールＢに装着した状態を示す正面図である。挿入軸２ｂがテーパーとなっているので、リールＢの中空円筒部の内径が多少相違しても、テーパー状の所定位置で嵌着されるので、汎用性がある。また、挿入軸２ｂの先端部に抜け止め防止具５が設けられているので、リールＢが先端側から脱落することを防止することができる。
【産業上の利用可能性】
【００１５】  本考案の水糸用リールの支持軸は、既存の水糸用リールに着脱自在に装着が可能であるため、水糸張り作業に広く利用することができる。
【符号の説明】
【００１６】１、１ａ、１ｂ  支持軸
２、２ａ、２ｂ  挿入軸
３  シャンク
４  テーパー
５  抜け止め防止具
５１  ピン
５２  防止蓋
Ａ，Ｂ  リール
【図１】
0003204952.tif 000003
【図２】
0003204952.tif 000004
【図３】
0003204952.tif 000005
【図４】
0003204952.tif 000006
【図５】
0003204952.tif 000007
【手続補正書】
【提出日】平成28年3月22日(2016.3.22)
【手続補正１】
【補正対象書類名】実用新案登録請求の範囲
【補正対象項目名】全文
【補正方法】変更
【補正の内容】
【実用新案登録請求の範囲】
【請求項１】
水糸を巻き付ける胴体を有し、中心部に中空円筒部が形成された水糸用リールに装着される支持軸であって、
該支持軸は、前記中空円筒部内に嵌着され、該支持軸の基端部には電気ドリルに着脱可能なシャンクが形成されていることを特徴とする水糸用リールの支持軸。
【請求項２】
前記支持軸は、前記中空円筒部内に挿脱自在に嵌着されていることを特徴とする請求項１に記載の水糸用リールの支持軸。
【請求項３】
前記支持軸の先端部には、前記中空円筒部からの脱落を防止するために、抜け止め具が設けられていることを特徴とする請求項１又は２に記載の水糸用リールの支持軸。
【請求項４】
前記支持軸の軸部には、前記中空円筒部からの脱落を防止するために、先端側から基端側にかけて先端側が細いテーパーが形成されていることを特徴とする請求項２又は３に記載の水糸用リールの支持軸。